(57)【特許請求の範囲】
【請求項１】
縦方向に延び格子体を形成する縦方向格子要素と、
前記縦方向格子要素の隣り合う２体の間に挿入され上面が収納面を形成し横方向に延び前記格子体を形成する横方向格子要素とからなり、
前記縦方向格子要素は、
縦方向切断線で切断が容易になるように形成され、間仕切幅方向に直交し縦方向に延びる第１外側縦方向直交面及び第２外側縦方向直交面が両端面として形成され、
前記横方向格子要素は、
横方向切断線で切断が容易になるように形成され、
間仕切幅方向に直交し横方向に延びる第１外側横方向直交面及び第２外側横方向直交面が両端面として形成され、
前記第１外側縦方向直交面と前記第２外側縦方向直交面とは中間に位置し縦方向に延びる縦方向中間曲折面で接続され、
前記縦方向中間曲折面に前記縦方向切断線が形成され、
前記第１外側横方向直交面と前記第２外側横方向直交面とは中間に位置し横方向に延びる横方向中間曲折面で接続され、
前記横方向中間曲折面に前記横方向切断線が形成されている
収納庫兼用間仕切り。
【請求項２】
請求項１において、
前記縦方向中間曲折面及び前記横方向中間曲折面に載置され前記第１外側縦方向直交面と前記第２外側縦方向直交面との間の幅を増幅し、前記第１外側横方向直交面と前記第２外側横方向直交面との間の幅を増幅するために挿入される拡幅体を有する
ことを特徴とする収納庫兼用間仕切り。
【請求項３】
縦方向に延び格子体を形成する縦方向格子要素と、
前記縦方向格子要素の隣り合う２体の間に挿入され上面が収納面を形成し横方向に延び前記格子体を形成する横方向格子要素とからなり、
前記縦方向格子要素は、
第１対称基準線に対して対称であり前記第１対称基準線に平行で縦方向に延びる縦方向切断線で切断が容易になるように形成され、
間仕切幅方向に直交し縦方向に延びる第１外側縦方向直交面及び第２外側縦方向直交面が両端面として形成されている
収納庫兼用間仕切りにおいて、
縦方向切断線又は横方向切断線は、強く折り曲げれば前記対称基準線の両側部分が切り離されるように切離溝により形成されている
収納庫兼用間仕切り。
【請求項４】
請求項３において、
第２対称基準線に対して対称であり前記第２対称基準線に平行で横方向に延びる横方向切断線で切断が容易になるように形成され、
間仕切幅方向に直交し横方向に延びる第１外側横方向直交面及び第２外側横方向直交面が両端面として形成されている
ことを特徴とする収納庫兼用間仕切り。
【請求項５】
縦方向に延び格子体を形成する縦方向格子要素と、
前記縦方向格子要素の隣り合う２体の間に挿入され上面が収納面を形成し横方向に延び前記格子体を形成する横方向格子要素とからなり、
前記縦方向格子要素は、
第１対称基準線に対して対称であり前記第１対称基準線に平行で縦方向に延びる縦方向切断線で切断が容易になるように形成され、
間仕切幅方向に直交し縦方向に延びる第１外側縦方向直交面及び第２外側縦方向直交面が両端面として形成されている
収納庫兼用間仕切りにおいて、
前記横方向格子要素は、
第２対称基準線に対して対称であり前記第２対称基準線に平行で横方向に延びる横方向切断線で切断が容易になるように形成され、
間仕切幅方向に直交し横方向に延びる第１外側横方向直交面及び第２外側横方向直交面が両端面として形成されており、
前記第１外側縦方向直交面と前記第２外側縦方向直交面とは中間に位置し縦方向に延びる縦方向中間曲折面で接続され、
前記縦方向中間曲折面は、
前記第１外側縦方向直交面に概ね直交して接続し幅方向長さを定寸に規定し縦方向に延びる第１縦方向規定面と、
前記第２外側縦方向直交面に概ね直交して接続し幅方向長さを定寸に規定し縦方向に延びる第２縦方向規定面と、
前記第１縦方向規定面と前記第２縦方向規定面の間にあり縦方向に延び間仕切り幅を増幅するための縦方向増幅面とを備え、
前記縦方向増幅面に前記縦方向切断線が形成され、
前記第１外側横方向直交面と前記第２外側横方向直交面とは中間に位置し横方向に延びる横方向中間曲折面で接続され、
前記横方向中間曲折面は、
前記第１外側横方向直交面に概ね直交して接続し幅方向長さを定寸に規定し横方向に延びる第１横方向規定面と、
前記第２外側横方向直交面に概ね直交して接続し幅方向長さを定寸に規定し横方向に延びる第２横方向規定面と、
前記第１横方向規定面と前記第２横方向規定面の間にあり横方向に延び間仕切り幅を増幅するための横方向増幅面とを備え、
前記横方向増幅面に前記横方向切断線が形成されている
ことを特徴とする収納庫兼用間仕切り。
【請求項６】
縦方向に延び格子体を形成する縦方向格子要素と、
前記縦方向格子要素の隣り合う２体の間に挿入され上面が収納面を形成し横方向に延び前記格子体を形成する横方向格子要素と、
天井に取りつけられ横方向に延びる天井基とからなり、
前記縦方向格子要素は、第１対称基準線に対して対称であり前記第１対称基準線に平行で縦方向に延びる縦方向切断線で切断が容易になるように形成され、
間仕切幅方向に直交し縦方向に延びる第１外側縦方向直交面及び第２外側縦方向直交面が両端面として形成され、
前記横方向格子要素は、
第２対称基準線に対して対称であり前記第２対称基準線に平行で横方向に延びる横方向切断線で切断が容易になるように形成され、
間仕切幅方向に直交し横方向に延びる第１外側横方向直交面及び第２外側横方向直交面が両側面として形成され、
前記天井基は第３対称基準線に対して対称であり前記第３対称基準線に平行で横方向に延びる横方向切断線で切断が容易になるように形成され、
間仕切幅方向に直交し縦方向に延びる第１外側横方向天井直交面及び第２外側横方向天井直交面が両端面として形成されている
収納庫兼用間仕切り。
【請求項７】
請求項６において、
前記第１外側縦方向直交面と前記第２外側縦方向直交面とは中間に位置し縦方向に延びる縦方向中間曲折面で接続され、
前記縦方向中間曲折面は、
前記第１外側縦方向直交面に概ね直交して接続し幅方向長さを定寸に規定し縦方向に延びる第１縦方向規定面と、
前記第２外側縦方向直交面に概ね直交して接続し幅方向長さを定寸に規定し縦方向に延びる第２縦方向規定面と、
前記第１縦方向規定面と前記第２縦方向規定面の間にあり縦方向に延び間仕切り幅を増幅するための縦方向増幅面とを備え、
前記縦方向増幅面に前記縦方向切断線が形成され、
前記第１外側横方向直交面と前記第２外側横方向直交面とは中間に位置し横方向に延びる横方向中間曲折面で接続され、
前記横方向中間曲折面は、
前記第１外側横方向直交面に概ね直交して接続し幅方向長さを定寸に規定し横方向に延びる第１横方向規定面と、
前記第２外側横方向直交面に概ね直交して接続し幅方向長さを定寸に規定し横方向に延びる第２横方向規定面と、
前記第１横方向規定面と前記第２横方向規定面の間にあり横方向に延び間仕切り幅を増幅するための横方向増幅面とを備え、
前記横方向増幅面に前記横方向切断線が形成され、
前記第１外側横方向直交面と前記第２外側横方向直交面とは中間に位置し横方向に延びる横方向中間天井面で接続され、
前記横方向切断線は前記横方向中間天井面に形成されている
ことを特徴とする収納庫兼用間仕切り。
【請求項８】
縦方向に延び格子体を形成する縦方向格子要素と、
前記縦方向格子要素の隣り合う２体の間に挿入され上面が収納面を形成し横方向に延び前記格子体を形成する横方向格子要素とからなり、
前記縦方向格子要素は、
第１対称基準線に対して対称であり前記第１対称基準線に平行で縦方向に延びる縦方向切断線で切断が容易になるように形成され、
間仕切幅方向に直交し縦方向に延びる第１外側縦方向直交面及び第２外側縦方向直交面が両端面として形成されている
収納庫兼用間仕切りにおいて、
前記横方向格子要素は、
第２対称基準線に対して対称であり前記第２対称基準線に平行で横方向に延びる横方向切断線で切断が容易になるように形成され、
間仕切幅方向に直交し横方向に延びる第１外側横方向直交面及び第２外側横方向直交面が両端面として形成されており、
前記第１外側縦方向直交面と前記第２外側縦方向直交面とは中間に位置し縦方向に延びる縦方向中間曲折面で接続され、
前記縦方向中間曲折面に前記縦方向切断線が形成され、
前記第１外側横方向直交面と前記第２外側横方向直交面とは中間に位置し横方向に延びる横方向中間曲折面で接続され、
前記横方向中間曲折面に前記横方向切断線が形成され、
前記縦方向中間曲折面及び前記横方向中間曲折面に載置され前記第１外側縦方向直交面と前記第２外側縦方向直交面との間の幅を増幅し、前記第１外側横方向直交面と前記第２外側横方向直交面との間の幅を増幅するために挿入される拡幅体を有する
ことを特徴とする収納庫兼用間仕切り。
【請求項９】
請求項８において、
前記拡幅体の上面が棚面として形成されている
ことを特徴とする収納庫兼用間仕切り。
【請求項１０】
縦方向に延び格子体を形成する縦方向格子要素と、
前記縦方向格子要素の隣り合う２体の間に挿入され上面が収納面を形成し横方向に延び前記格子体を形成する横方向格子要素と、
天井に取りつけられ横方向に延びる天井基と、
前記格子体に取りつけられる扉枠とからなり、
前記縦方向格子要素、前記横方向格子要素、前記天井基、前記扉枠は、それぞれに第１対称基準線、第２対称基準線、第３対称基準線、第４対称基準線に対して対称であり前記各対称基準線に平行で横方向又は縦方向に各別に延びる縦横切断線でそれぞれに切断が容易になるように形成されている
収納庫兼用間仕切り。
【請求項１１】
縦方向に延び格子体を形成する縦方向格子要素と、
前記縦方向格子要素の隣り合う２体の間に挿入され上面が収納面を形成し横方向に延び前記格子体を形成する横方向格子要素と、
前記横方向格子要素に取りつけられ横方向に延びる引戸受とからなり、
前記縦方向格子要素、前記横方向格子要素は、それぞれに第１対称基準線、第２対称基準線に対して対称であり前記各対称基準線に平行で横方向、縦方向に各別に延びる縦横切断線でそれぞれに切断が容易になるように形成され、
前記引戸受に横方向に可動な引戸が支持されている
収納庫兼用間仕切り。
【請求項１２】
縦方向に延び格子体を形成する縦方向格子要素の隣り合う２体の間に挿入され上面が収納面を形成し横方向に延び前記格子体を形成する横方向格子要素であり、
間仕切幅方向に直交し横方向に延び組立後に形成される第２外側横方向直交面とで両端面を形成することになる第１外側横方向直交面が端面として形成され、
前記第１外側横方向直交面は、前記第１外側横方向直交面と前記第２外側横方向直交面との間に位置し縦方向に延びる横方向中間曲折面に接続され、
前記縦方向格子要素とで格子構造を形成することになる
収納庫兼用間仕切り用横方向格子部材。
【発明の詳細な説明】
【０００１】
【発明が属する技術分野】
本発明は、収納庫兼用間仕切りに関する。更に詳しくは、室内間仕切りの空間を本棚等の収容庫として多目的に利用できる収納庫兼用間仕切りに関する。
【０００２】
【従来の技術】
室内の間仕切りおよび壁を多目的棚として用いる場合、従来は、建築業者、大工等が棚を取付けたい箇所に墨付けし、床と天井に幅木を釘またはネジ類で貼付け、壁が貼り易い間隔に側板を並立し、これを安定させるため補助桟すなわち綱縁を側板に交差するように敗付けて格子状の桟に形成する。このように形成した間仕切りを壁として安定させるため１００ｍｍ程度の壁厚にすることが多い。
【０００３】
このような格子状の桟にベニヤ板、近頃は不燃材である石膏ボード(以下、壁板ということもある)を両面側で釘またはネジ類で貼付ける。多少凸凹があるときはパテで補修し壁紙、近年は壁ビニールクロス(以下「壁クロス」という)を糊貼りして仕上げる例が最も多く見受けられる。
【０００４】
このように間仕切りして小部屋にした後に必要になった時点で、既設の間仕切りに合わせて本棚などの家具を設置するのが常であった。これでは、間仕切りの厚みに本棚など家具の厚みが加わり、捨て空間すなわち無駄な空間が多くならざるをえない。また、家具を間仕切りにビッタリと取り付けることが困難である。間仕切りに取りつけられた形状、サイズがまちまちの家具の並び具合がよくなく見かけが悪く結果的に部屋の実質的な利用可能空間を狭くする欠点がある。更に、間仕切りと家具のそれぞれの製造・組立が必要である。従来の間仕切り方法は、このように余分な時間と費用が重複してかかる欠点があった。更に、間仕切りと家具の一体性が弱いので、強化構造体としての機能に乏しい欠点もあった。
【０００５】
【発明が解決しようとする課題】
大きな地震が頻繁に発生する日本等の地震国では、室内に設置した家具の倒壊により多数人が犠牲になっている。１家屋の敷地面積が狭く地震が多発する日本では、間仕切りと家具との設計を統一的に考えることが望まれる。
【０００６】
本発明は、このような技術的背景を考えて、下記するような課題を解決する。
【０００７】
本発明の目的は、部屋の中の狭い空間を広く利用することができる収納庫兼用間仕切りを提供することにある。
【０００８】
本発明の他の目的は、間仕切りと収納庫などの家具を同じものにすることにより部屋の中の狭い空間を広く利用することができる収納庫兼用間仕切りを提供することにある。
【０００９】
本発明の更に目的は、間仕切りと収納庫などの家具を同じものにすることにより構造を強化することができる収納庫兼用間仕切りを提供することにある。
【００１０】
本発明の更に他の目的は、間仕切りと収納庫などの家具を同じものにすることにより部屋の中の見かけをよくすることができる収納庫兼用間仕切りを提供することにある。
【００１１】
本発明の更に他の目的は、間仕切りを厚みが大きい壁として構造化する収納庫兼用間仕切りを提供することにある。
【００１２】
本発明の更に他の目的は、間仕切りの厚みを自在に変えて組み立てることにより収納庫を多様に構成することができる収納庫兼用間仕切りを提供することにある。
【００１３】
本発明の更に他の目的は、上記目的の収納庫兼用間仕切りを組み立てる素材となる収納庫兼用間仕切り用部材を提供することにある。
【００１４】
このような目的を達成することにより、与えられた土地に建築した建物の中の室内を最大限に広く有効に利用できるようになり、建築に携わる者のみでなく、居住者の要望に応えることができる。
【００１５】
【課題を解決するための手段】
本発明は、このような技術的背景に基づいてなされたものであり、次のような解決手段を採用している。
【００１６】
本発明１の収納庫兼用間仕切りは、縦方向に延び格子体を形成する縦方向格子要素と、前記縦方向格子要素の隣り合う２体の間に挿入され上面が収納面を形成し横方向に延び前記格子体を形成する横方向格子要素とからなり、前記縦方向格子要素は、縦方向切断線で切断が容易になるように形成され、間仕切幅方向に直交し縦方向に延びる第１外側縦方向直交面及び第２外側縦方向直交面が両端面として形成され、前記横方向格子要素は、横方向切断線で切断が容易になるように形成され、間仕切幅方向に直交し横方向に延びる第１外側横方向直交面及び第２外側横方向直交面が両端面として形成され、前記第１外側縦方向直交面と前記第２外側縦方向直交面とは中間に位置し縦方向に延びる縦方向中間曲折面で接続され、前記縦方向中間曲折面に前記縦方向切断線が形成され、前記第１外側横方向直交面と前記第２外側横方向直交面とは中間に位置し横方向に延びる横方向中間曲折面で接続され、前記横方向中間曲折面に前記横方向切断線が形成されている。
【００１７】
本発明２の収納庫兼用間仕切りは、前記発明１において、前記縦方向中間曲折面及び前記横方向中間曲折面に載置され前記第１外側縦方向直交面と前記第２外側縦方向直交面との間の幅を増幅し、前記第１外側横方向直交面と前記第２外側横方向直交面との間の幅を増幅するために挿入される拡幅体を有することを特徴とする。
【００１８】
本発明３の収納庫兼用間仕切りは、縦方向に延び格子体を形成する縦方向格子要素と、前記縦方向格子要素の隣り合う２体の間に挿入され上面が収納面を形成し横方向に延び前記格子体を形成する横方向格子要素とからなり、前記縦方向格子要素は、第１対称基準線に対して対称であり前記第１対称基準線に平行で縦方向に延びる縦方向切断線で切断が容易になるように形成され、間仕切幅方向に直交し縦方向に延びる第１外側縦方向直交面及び第２外側縦方向直交面が両端面として形成されている収納庫兼用間仕切りにおいて、縦方向切断線又は横方向切断線は、強く折り曲げれば前記対称基準線の両側部分が切り離されるように切離溝により形成されている。
【００２０】
本発明４の収納庫兼用間仕切りは、前記本発明３において、第２対称基準線に対して対称であり前記第２対称基準線に平行で横方向に延びる横方向切断線で切断が容易になるように形成され、間仕切幅方向に直交し横方向に延びる第１外側横方向直交面及び第２外側横方向直交面が両端面として形成されていることを特徴とする。
【００２１】
本発明５の収納庫兼用間仕切りは、縦方向に延び格子体を形成する縦方向格子要素と、前記縦方向格子要素の隣り合う２体の間に挿入され上面が収納面を形成し横方向に延び前記格子体を形成する横方向格子要素とからなり、前記縦方向格子要素は、第１対称基準線に対して対称であり前記第１対称基準線に平行で縦方向に延びる縦方向切断線で切断が容易になるように形成され、間仕切幅方向に直交し縦方向に延びる第１外側縦方向直交面及び第２外側縦方向直交面が両端面として形成されている収納庫兼用間仕切りにおいて、
前記横方向格子要素は、第２対称基準線に対して対称であり前記第２対称基準線に平行で横方向に延びる横方向切断線で切断が容易になるように形成され、間仕切幅方向に直交し横方向に延びる第１外側横方向直交面及び第２外側横方向直交面が両端面として形成されている前記第１外側縦方向直交面と前記第２外側縦方向直交面とは中間に位置し縦方向に延びる縦方向中間曲折面で接続され、前記縦方向中間曲折面は、前記第１外側縦方向直交面に概ね直交して接続し幅方向長さを定寸に規定し縦方向に延びる第１縦方向規定面と、前記第２外側縦方向直交面に概ね直交して接続し幅方向長さを定寸に規定し縦方向に延びる第２縦方向規定面と、前記第１縦方向規定面と前記第２縦方向規定面の間にあり縦方向に延び間仕切り幅を増幅するための縦方向増幅面とを備え、前記縦方向増幅面に前記縦方向切断線が形成され、前記第１外側横方向直交面と前記第２外側横方向直交面とは中間に位置し横方向に延びる横方向中間曲折面で接続され、前記横方向中間曲折面は、前記第１外側横方向直交面に概ね直交して接続し幅方向長さを定寸に規定し横方向に延びる第１横方向規定面と、前記第２外側横方向直交面に概ね直交して接続し幅方向長さを定寸に規定し横方向に延びる第２横方向規定面と、前記第１横方向規定面と前記第２横方向規定面の間にあり横方向に延び間仕切り幅を増幅するための横方向増幅面とを備え、前記横方向増幅面に前記横方向切断線が形成されていることを特徴とする。
【００２２】
本発明６の収納庫兼用間仕切りは、 縦方向に延び格子体を形成する縦方向格子要素と、前記縦方向格子要素の隣り合う２体の間に挿入され上面が収納面を形成し横方向に延び前記格子体を形成する横方向格子要素と、天井に取りつけられ横方向に延びる天井基とからなり、前記縦方向格子要素は、第１対称基準線に対して対称であり前記第１対称基準線に平行で縦方向に延びる縦方向切断線で切断が容易になるように形成され、間仕切幅方向に直交し縦方向に延びる第１外側縦方向直交面及び第２外側縦方向直交面が両端面として形成され、前記横方向格子要素は、第２対称基準線に対して対称であり前記第２対称基準線に平行で横方向に延びる横方向切断線で切断が容易になるように形成され、間仕切幅方向に直交し横方向に延びる第１外側横方向直交面及び第２外側横方向直交面が両側面として形成され、前記天井基は第３対称基準線に対して対称であり前記第３対称基準線に平行で横方向に延びる横方向切断線で切断が容易になるように形成され、間仕切幅方向に直交し縦方向に延びる第１外側横方向天井直交面及び第２外側横方向天井直交面が両端面として形成されている。
【００２３】
本発明７の収納庫兼用間仕切りは、前記本発明６において、前記第１外側縦方向直交面と前記第２外側縦方向直交面とは中間に位置し縦方向に延びる縦方向中間曲折面で接続され、前記縦方向中間曲折面は、前記第１外側縦方向直交面に概ね直交して接続し幅方向長さを定寸に規定し縦方向に延びる第１縦方向規定面と、前記第２外側縦方向直交面に概ね直交して接続し幅方向長さを定寸に規定し縦方向に延びる第２縦方向規定面と、前記第１縦方向規定面と前記第２縦方向規定面の間にあり縦方向に延び間仕切り幅を増幅するための縦方向増幅面とを備え、前記縦方向増幅面に前記縦方向切断線が形成され、前記第１外側横方向直交面と前記第２外側横方向直交面とは中間に位置し横方向に延びる横方向中間曲折面で接続され、前記横方向中間曲折面は、前記第１外側横方向直交面に概ね直交して接続し幅方向長さを定寸に規定し横方向に延びる第１横方向規定面と、前記第２外側横方向直交面に概ね直交して接続し幅方向長さを定寸に規定し横方向に延びる第２横方向規定面と、前記第１横方向規定面と前記第２横方向規定面の間にあり横方向に延び間仕切り幅を増幅するための横方向増幅面とを備え、前記横方向増幅面に前記横方向切断線が形成され、前記第１外側横方向直交面と前記第２外側横方向直交面とは中間に位置し横方向に延びる横方向中間天井面で接続され、前記横方向切断線は前記横方向中間天井面に形成されていることを特徴とする。
【００２４】
本発明８の収納庫兼用間仕切りは、縦方向に延び格子体を形成する縦方向格子要素と、前記縦方向格子要素の隣り合う２体の間に挿入され上面が収納面を形成し横方向に延び前記格子体を形成する横方向格子要素とからなり、前記縦方向格子要素は、第１対称基準線に対して対称であり前記第１対称基準線に平行で縦方向に延びる縦方向切断線で切断が容易になるように形成され、間仕切幅方向に直交し縦方向に延びる第１外側縦方向直交面及び第２外側縦方向直交面が両端面として形成されている収納庫兼用間仕切りにおいて、前記横方向格子要素は、第２対称基準線に対して対称であり前記第２対称基準線に平行で横方向に延びる横方向切断線で切断が容易になるように形成され、間仕切幅方向に直交し横方向に延びる第１外側横方向直交面及び第２外側横方向直交面が両端面として形成されており、前記第１外側縦方向直交面と前記第２外側縦方向直交面とは中間に位置し縦方向に延びる縦方向中間曲折面で接続され、前記縦方向中間曲折面に前記縦方向切断線が形成され、前記第１外側横方向直交面と前記第２外側横方向直交面とは中間に位置し横方向に延びる横方向中間曲折面で接続され、前記横方向中間曲折面に前記横方向切断線が形成され、前記縦方向中間曲折面及び前記横方向中間曲折面に載置され前記第１外側縦方向直交面と前記第２外側縦方向直交面との間の幅を増幅し、前記第１外側横方向直交面と前記第２外側横方向直交面との間の幅を増幅するために挿入される拡幅体を有する。
【００２５】
本発明９の収納庫兼用間仕切りは、前記本発明８において、前記拡幅体の上面が棚面として形成されていることを特徴とする。
【００２６】
本発明１０の収納庫兼用間仕切りは、縦方向に延び格子体を形成する縦方向格子要素と、前記縦方向格子要素の隣り合う２体の間に挿入され上面が収納面を形成し横方向に延び前記格子体を形成する横方向格子要素と、天井に取りつけられ横方向に延びる天井基と、前記格子体に取りつけられる扉枠とからなり、前記縦方向格子要素、前記横方向格子要素、前記天井基、前記扉枠は、それぞれに第１対称基準線、第２対称基準線、第３対称基準線、第４対称基準線に対して対称であり前記各対称基準線に平行で横方向又は縦方向に各別に延びる縦横切断線でそれぞれに切断が容易になるように形成されている。
【００２７】
本発明１１の収納庫兼用間仕切りは、縦方向に延び格子体を形成する縦方向格子要素と、前記縦方向格子要素の隣り合う２体の間に挿入され上面が収納面を形成し横方向に延び前記格子体を形成する横方向格子要素と、前記横方向格子要素に取りつけられ横方向に延びる引戸受とからなり、前記縦方向格子要素、前記横方向格子要素は、それぞれに第１対称基準線、第２対称基準線に対して対称であり前記各対称基準線に平行で横方向、縦方向に各別に延びる縦横切断線でそれぞれに切断が容易になるように形成され、前記引戸受に横方向に可動な引戸が支持されている。
【００２８】
本発明１２の収納庫兼用間仕切り用横方向格子部材は、縦方向に延び格子体を形成する縦方向格子要素の隣り合う２体の間に挿入され上面が収納面を形成し横方向に延び前記格子体を形成する横方向格子要素であり、間仕切幅方向に直交し横方向に延び組立後に形成される第２外側横方向直交面とで両端面を形成することになる第１外側横方向直交面が端面として形成され、前記第１外側横方向直交面は、前記第１外側横方向直交面と前記第２外側横方向直交面との間に位置し縦方向に延びる横方向中間曲折面に接続され、前記縦方向格子要素とで格子構造を形成することになる。
【００３０】
本発明による収納庫兼用間仕切りは、縦方向格子要素と横方向格子要素とから格子体を形成する。この格子体は、部屋を複数空間に仕切る。格子体である間仕切りは、壁としての構造体である。構造体は天井及び床に固定することができる。このように固定された間仕切り構造体は、それ自体が地震に強く建築物全体の強化構造体になっている。
【００３１】
縦方向格子要素及び横方向格子要素は等しい幅を有している。この幅が、間仕切り壁の幅を規定している。縦方向格子要素及び横方向格子要素は、幅方向の中間（一方側に偏寄していてもよい）にある中心線、中間線又は対称線を含む縦横方向切断線で容易に分割され、両端面間（縦横方向直交面）の距離、幅が等しく変更される。このような幅の変更は、間仕切り壁の厚み設計を自由にしている。厚みの変更して壁の強度、収納庫の奥ゆき幅を設計することができる。
【００３２】
縦横方向直交面の間に位置する縦横方向中間曲折面に載置される拡幅体は、収納庫例えば本棚の棚面の奥行き長さを規定する。このように規定される奥行き長さは、拡幅体の幅方向長さの選択により変更して増幅することができる。拡幅体は、壁の強化構造の一部を形成する。
【００３３】
縦横方向格子要素等は第１対称基準線、第２対称基準線に対して対称化することができる。このような対称化により縦横方向格子要素の前後が規定されないから、現場での組立作業が便利である。特に、切離溝により切断して増幅する場合に作業が容易である。
【００３４】
縦方向格子要素は、直交方向に天井基に固定される。この固定は、タップボルトを用いれば簡便である。縦方向格子要素に扉枠を取り付けることができる。この扉枠も拡幅・増幅が可能である。扉枠に取り付けた扉により間仕切りされた両側の部屋・空間を接続することができる。
【００３５】
横方向格子要素には、左右方向に可動な引戸を取り付けることができる。この引戸により本棚等の収納庫の開閉が可能である。収納庫の前面はガラス張りにすることができる。
【００３６】
縦横格子要素を用いた格子状の組立体は、空間を完全に仕切る間仕切りに限られず、部分的に間仕切りして収納庫として用いることができる。縦横格子要素には片面側に壁板を張り付けることができる。この場合、壁板を張り付けた側では、組立体は収納庫としては利用しない。壁幅を大きくしてサイドに（幅方向に平行な鉛直面に）壁板を張り付けて、空間の一部を大きい収納庫にすることができる。
【００３７】
縦横格子要素は、このような多様な利用を可能にする。壁板、戸枠を用いれば更に利用形態を多様化することができる。
【００３８】
例えば、建築業者、大工が間出切り工事を行って多目的棚を取付けて組立て、目的にあった棚幅、例えば、小説本であは１５０ｍｍ幅、教科書の１７０ｍｍ幅、Ａ４版のカタログ本幅の２２０ｍｍ、３００ｍｍ程度の自由設計幅の棚幅に自由に形成することができる。また、凹凸がある間仕切り壁も簡単に形成することができる。
【００３９】
またこのような間仕切りを現場で組み立てるために便利な間仕切り部材を通信販売等の手段で販売すれば、説明書に従って個々人が趣味、事情に応じて個々人の望み通りの空間設計を行うことができる。また、個々人の希望に従って、大工が組み立てることができる。
【００４０】
【発明の実施の形態】
（格子体組立構造の実施形態）
図１は、本発明による収納庫兼用間仕切りの実施形態１を示している。収納庫兼用間仕切りである間仕切り構造体は、格子体構造を含んでいる。格子体構造により、部屋Ｒが２分割されている。２分割された部屋間は、後述する扉により出入りすることができる。格子体構造は、縦方向格子要素１と横方向格子要素２とから構成されている。
【００４１】
縦方向格子要素１は、縦方向に延び格子体を形成する。横方向格子要素２は、縦方向格子要素１の隣り合う２体１，１の間に挿入され横方向に延びている。縦方向は通常鉛直方向であり、横方向は通常水平方向である。後述する手段により、間仕切りしょうとする部屋の天井壁に天井基３を取りつけることができる。
【００４２】
また、間仕切りしょうとする部屋の床に床基４が取りつけられる。図２に示すように、天井基３と床基４との間に、縦方向格子要素１と横方向格子要素２とからなる格子体構造が組立てられている。図３（ａ），（ｂ）に示すように、縦方向格子要素１の幅Ｌを自由に変更することができる。即ち、幅Ｌは可変である。このような幅の可変構造は、詳しく後述される。
【００４３】
図４は、天井基３を示している。床基４は、下記する天井基３と全く同じ形状・構造である。破断線で示すように、天井基３は、長尺である。部屋又は部屋の天井の横幅（間仕切りの厚み方向即ち間仕切幅方向に直交する鉛直面上で水平方向の幅）に等しくなるように、長尺の天井基３が現場で鋸により切断される。
【００４４】
天井基３は、第３対称基準線１０３に対して対称であり第３対称基準線１０３に平行で横方向に延びる横方向切断線を含む第３切溝９で切断が容易になるように形成されている。天井基３には、間仕切幅方向に直交し縦方向に延びる第１外側横方向天井直交辺１１の面及び第２外側横方向天井直交辺１２の面が両端面として形成されている。
【００４５】
第１外側横方向天井直交辺１１及び第２外側横方向天井直交辺１２は、これらの中間に位置する天井辺１３により接続されている。天井辺１３の面は、組立後水平面に形成される。第３切溝９は、部分的に同図中に示すように、第１外側横方向天井直交辺１１と第２外側横方向天井直交辺１２が同一平面上になるように折り返すことができる折り目であり、また、この折り目はこの位置で２分割して切断できる切断線を含んでいる。第３切溝９は、この溝の両側の天井辺１３Ｒ，１３Ｌの内面側に設けられ、断面は３角形状である。
【００４６】
図５は、縦方向格子要素１を示している。縦方向格子要素１は、第１対称基準線１０１に対して対称であり、第１対称基準線に平行で縦方向に延びる縦方向切断線で切断が容易になるように形成されている。縦方向格子要素１は、第１対称基準線１０１に平行で縦方向に延びる縦方向切断線を含む第１切溝１９で切断が容易になるように形成されている。この縦方向切断線が第１対称基準線１０１に一致する必要はない。
【００４７】
第１切溝１９は、部分的に同図中に示すように、第１外側縦方向直交辺２１と第２外側縦方向直交辺２２が同一平面上になるように折り返すことができる折り目である。この折り目はこの位置で２分割して切断できる切断線を含んでいる。第１切溝１９は、この溝の両側の拡幅辺２７Ｒ，２７Ｌに設けられ、断面は３角形状である。
【００４８】
縦方向格子要素１には、間仕切幅方向Ｚに直交し縦方向Ｙに延びる第１外側縦方向直交辺２１の面及び第２外側縦方向直交辺２２の面が両端面として形成されている。第１外側縦方向直交辺２１と第２外側縦方向直交辺２２とは、中間に位置し縦方向に延びる縦方向中間曲折辺２３で接続されている。
【００４９】
拡幅辺２３は、中央の第１切溝１９で間仕切幅方向Ｚに前後に切断される拡幅辺２３Ｒ，２３Ｌから形成されている。拡幅辺２３は、第１切溝１９に含まれる縦方向切断線で切断が容易になっている。拡幅辺２３は、第１外側縦方向直交辺２１，第２外側縦方向直交辺２２に直交している。
【００５０】
一方の側の拡幅辺２３Ｒと第１外側縦方向直交辺２１との間は、直交する２辺で接続されている。その２辺は、拡幅辺２３Ｒに直交して接続する縦方向中間直交辺２８Ｒと縦方向中間幅方向辺３１Ｒとから形成されている。縦方向中間幅方向辺３１Ｒは、第１外側縦方向直交辺２１及び縦方向中間直交辺２８Ｒに接続している。
【００５１】
第１外側縦方向直交辺２１に直交し又は概ね直交して接続し幅方向長さを定寸に規定し縦方向に延びる第１縦方向規定面は、縦方向中間幅方向辺３１Ｒの面で規定される。この第１縦方向規定面が規定する間仕切幅は、縦方向中間幅方向辺３１Ｒの幅である。
【００５２】
第１外側縦方向直交辺２２に直交し又は概ね直交して接続し幅方向長さを定寸に規定し縦方向に延びる第２縦方向規定面は、縦方向中間幅方向辺３１Ｌの面で規定される。この第２縦方向規定面が規定する間仕切幅は、縦方向中間幅方向辺３１Ｌの幅である。
【００５３】
前記第１縦方向規定面と前記第２縦方向規定面の間にあり縦方向に延び間仕切り幅を増幅するための縦方向増幅面は、拡幅辺２３Ｒと拡幅辺２３Ｌの面で規定される。この縦方向増幅面が規定する間仕切幅は、拡幅辺２３の幅である。縦方向格子要素１の幅は、前記第１縦方向規定面の幅と前記第２縦方向規定面の幅と前記縦方向増幅面の幅の合計として規定される。
【００５４】
縦方向格子要素１が第１対称基準線１０１に対して対称である必要はない。第１対称基準線１０１に対して対称な縦方向格子要素１は、切断された２体の区別をする必要がない点で、作業時に有利である。前記縦方向増幅面に縦方向切断線が形成されている。
【００５５】
第１外側縦方向直交辺２１及び第２外側縦方向直交辺２２にの端部には、それぞれに、対向して直角に折れ曲がる対向辺２９Ｒ，２９Ｌが形成されている。対向辺２９Ｒ，２９Ｌの外側面は、縦方向格子要素１が第１対称基準線１０１を折れ線として折れて１８０度回転した場合に、密着しあう密着面である。
【００５６】
図６は、横方向格子要素２を示している。横方向格子要素２は、第２対称基準線１０２に対して対称であり、第２対称基準線に平行で横方向に延びる横方向切断線で切断が容易になるように形成されている。横方向格子要素２は、第２対称基準線１０２に平行で横方向に延びる横方向切断線を含む第２切溝３９で切断が容易になるように形成されている。
【００５７】
この横方向切断線が第２対称基準線１０２に一致する必要はない。第２切溝３９は、部分的に同図中に示すように、第１外側横方向直交辺３１と第２外側横方向直交辺３２が同一平面上になるように折り返すことができる折り目であり、また、この折り目はこの位置で２分割して切断できる切断線を含んでいる。
【００５８】
第２切溝３９は、この溝の両側の拡幅辺３７Ｒ，３７Ｌに設けられ、断面は３角形状である。横方向格子要素２には、間仕切幅方向Ｚに直交し横方向Ｘに延びる第１外側横方向直交辺３１の面及び第２外側横方向直交辺３２の面が両端面として形成されている。第１外側横方向直交辺３１と第２外側横方向直交辺３２とは、中間に位置し横方向に延びる横方向中間曲折辺３３で接続されている。
【００５９】
拡幅辺３３は、中央の第２切溝３９で間仕切幅方向Ｚに前後に切断される拡幅辺３３Ｒ，３３Ｌから形成されている。拡幅辺３３は、第１切溝１９に含まれる横方向切断線で切断が容易になっている。拡幅辺３３は、第１外側横方向直交辺３１，第２外側横方向直交辺３２に直交している。
【００６０】
一方の側の拡幅辺３３Ｒと第１外側横方向直交辺３１との間は、直交する２辺で接続されている。その２辺は、拡幅辺３３Ｒに直交して接続する横方向中間直交辺３８Ｒと横方向中間幅方向辺４１Ｒとから形成されている。横方向中間幅方向辺４１Ｒは、第１外側横方向直交辺３１及び横方向中間直交辺３８Ｒに接続している。
【００６１】
他方の側の拡幅辺３３Ｌと第２外側横方向直交辺３２との間は、直交する２辺で接続されている。その２辺は、拡幅辺３３Ｌに直交して接続する横方向中間直交辺３８Ｌと横方向中間幅方向辺４１Ｌとから形成されている。横方向中間幅方向辺４１Ｌは、第２外側横方向直交辺３２及び横方向中間直交辺３８Ｌに接続している。
【００６２】
第１外側横方向直交辺３１に直交し又は概ね直交して接続し幅方向長さを定寸に規定し横方向に延びる第１横方向規定面は、横方向中間幅方向辺４１Ｒの面で規定される。この第１横方向規定面が規定する間仕切幅は、横方向中間幅方向辺４１Ｒの幅である。
【００６３】
第２外側横方向直交辺３２に直交し又は概ね直交して接続し幅方向長さを定寸に規定し横方向に延びる第２横方向規定面は、横方向中間幅方向辺４１Ｌの面で規定される。この第２横方向規定面が規定する間仕切幅は、横方向中間幅方向辺４１Ｌの幅である。
【００６４】
前記第１横方向規定面と前記第２横方向規定面の間にあり横方向に延び間仕切り幅を増幅するための横方向増幅面は、拡幅辺３３Ｒと拡幅辺３３Ｌの面で規定される。この横方向増幅面が規定する間仕切幅は、拡幅辺３３の幅である。横方向格子要素２の幅は、前記第１横方向規定面の幅と前記第２横方向規定面の幅と前記横方向増幅面の幅の合計として規定される。
【００６５】
横方向格子要素２が第２対称基準線１０２に対して対称である必要はない。第２対称基準線１０２に対して対称な横方向格子要素２は、切断された２体の区別をする必要がない点で、作業時に有利である。前記横方向増幅面に横方向切断線が形成されている。
【００６６】
第１外側横方向直交辺３１及び第２外側横方向直交辺３２にの端部には、それぞれに、対向して直角に折れ曲がる対向辺４９Ｒ，４９Ｌが形成されている。対向辺４９Ｒ，４９Ｌの外側面は、横方向格子要素２が第２対称基準線１０２を折れ線として折れて１８０度回転した場合に、密着しあう密着面である。
【００６７】
図６に示すように、取付用片４５が用意されている。取付用片４５は、第１外側横方向直交辺３１と横方向中間幅方向辺４１Ｒと横方向中間直交辺３８Ｒとで形成される凹字状３辺により形成される空間に挿入される。取付用片４５は、第２外側横方向直交辺３２及び横方向中間直交辺３８Ｌの対向する内面に接し横方向Ｘに延びる取付用対向辺４６と、取付用対向辺４６を接続し間仕切幅方向Ｚに延びる接続片４７とから形成されている。取付用対向辺４６は、対向辺４９Ｌに載置される。
【００６８】
図７は、横方向格子要素２の他の実施の形態を示している。この実施形態の横方向格子要素２が図６に示す横方向格子要素２と異なる点は、横方向格子要素２の端部に横方向中間幅方向辺４１Ｒ及び横方向中間幅方向辺４１Ｌに接続して下方に曲がる固定型取付用片４８が横方向格子要素２の一部として一体に設けられていることである。
【００６９】
第１外側横方向天井直交辺１１と第２外側横方向天井直交辺１２の対向する面間の距離は、図３（ａ）に示すように、第１外側縦方向直交辺２１と第２外側縦方向直交辺２２が形成する両端面の間の距離にほぼ等しい。即ち、縦方向格子要素１は天井基３に挟まれて位置決めされている。
【００７０】
図３（ｂ）は、第３切溝９の位置で切断された天井基３及び第１切溝１９の位置で切断された縦方向格子要素１が用いられた実施の形態を示している。この場合、拡幅辺２３Ｒ及び拡幅辺２３Ｌは離隔され第１外側縦方向直交辺２１と第２外側縦方向直交辺２２の間の距離が増大している。
【００７１】
同様に、第１外側横方向天井直交辺１１と第２外側横方向天井直交辺１２の対向する面間の距離も同じだけ増大している。縦方向格子要素１が天井基３に挟まれて位置決めされている点では、図３（ａ）の実施の形態も図３（ｂ）の実施の形態も同じである。
【００７２】
図８及び図９は、それぞれに、天井基３及び縦方向格子要素１の使用の態様を示している。天井基３は、第３対称基準線１０３である横方向切断線で切断されている。縦方向格子要素１は、第１対称基準線１０１である縦方向切断線で切断されている。
【００７３】
天井基３の第１外側横方向天井直交辺１１と第２外側横方向天井直交辺１２の対向面間に、建築資材である石膏ボード５１が介設されている。石膏ボード５１は、天井辺１３Ｒの下面及び天井辺１３Ｌの下面に石膏ボード用接着剤により接着される。
【００７４】
図９に示されるように、縦方向格子要素１の縦方向中間直交辺２８Ｒと縦方向中間幅方向辺２８Ｌの対向面間に、建築資材である拡幅用石膏ボード５２が介設されている。拡幅用石膏ボード５２は、拡幅辺２３Ｒの側面及び拡幅辺２３Ｌの側面に石膏ボード用接着剤により接着される。
【００７５】
拡幅用石膏ボード５２の端面は、縦方向中間幅方向辺２８Ｌの上面に載置される。図９は、縦方向格子要素１を示すと同時に横方向格子要素２をも示している。但し、縦方向格子要素１と横方向格子要素２は直交する向きに使用される。即ち、図２に示すように、横方向に隣り合う１，１間に、横方向格子要素２が嵌め込まれ結合されている。
【００７６】
図２に示される横方向格子要素２は、図６に示される横方向格子要素２が縦方向に切断されて用いられている。第１外側縦方向直交辺２１と縦方向中間幅方向辺３１Ｒと縦方向中間直交辺２８Ｒとで囲まれる空間には、短副石膏ボード５３Ｒが挿入されている。第２外側縦方向直交辺２２と縦方向中間幅方向辺３１Ｌと縦方向中間幅方向辺２８Ｌとで囲まれるもう一方の空間には、短副石膏ボード５３Ｌが挿入されている。
【００７７】
図１０は、天井基３と部屋の天井とを固定するための固定手段及び天井基３に縦方向格子要素１を取り付けるための取付手段を示している。天井を構成する発泡性天井ボード６３に天井基３が天井辺１３が接合するように、鉛直方向に向くタップネジ６２が用いられている。
【００７８】
タップネジ６２は、天井基３の天井辺１３及び発泡性天井ボード６３にねじ込まれている。床基４も同様に、床６４を構成する床ボード６１にタップネジ６２で結合している。なお、発泡性天井ボード６３は初めから天井板６５にタップネジ６２Ａにより取りつけられている。
【００７９】
間仕切幅方向に向くタップネジ６６は、天井基３の一方の第１外側横方向天井直交辺１１及び縦方向格子要素１の第１外側縦方向直交辺２１を貫通し更に図９に示す短幅石膏ボード５３Ｒに突き刺さってねじ込まれている。このように間仕切りされた両側の部屋の一方の壁面部材として、天井基３の外側面から化粧板６７が添えられる。この場合、化粧板６７と天井基３又は縦方向格子要素１との間に断熱材・石膏ボードその他のボード６８が介設され、タップネジ６９により固定されている。
【００８０】
図１１は、縦方向格子要素１と横方向格子要素２との組立を示している。横方向格子要素２の端面が、縦方向格子要素１の縦方向中間幅方向辺３１Ｒ及び縦方向中間幅方向辺３１Ｌの面（横方向Ｘに直交する面）に突き当たっている。矢Ａで示す方向からねじ込まれるタップネジは、短幅石膏ボード５３Ｒに突き刺さってねじ込まれ、次に、横方向格子要素２に固定されている取付用片４５にねじ込まれる。
【００８１】
このように組み立てられた格子体を形成する横方向格子要素２の横方向中間幅方向辺４１Ｒと横方向中間幅方向辺４１Ｌとの間に棚用石膏ボード７１が載置される。棚用石膏ボード７１の上面が、棚の上面として使用される。
【００８２】
図１２は、縦方向格子要素１と横方向格子要素２を用いた格子体の組立の他の実施の形態を示している。縦方向格子要素１は、第１対称基準線１０１である縦方向切断線を中心として図５に示す縦方向格子要素１の対称部分が相対的に１８０度回転して腹合わせに接合している。
【００８３】
このように折り返されて状態を変えた縦方向格子要素１が２体用いられて１対の柱が幅方向に並び、上下端部が図示しない天井基３及び床基に挟まれている。一方の縦方向格子要素１の縦方向中間直交辺２８Ｒと他方の縦方向格子要素１の縦方向中間直交辺２８Ｒとの間に拡幅体である左側石膏ボード７５Ｌが介設されている。
【００８４】
一方の縦方向格子要素１の縦方向中間幅方向辺２８Ｌと他方の縦方向格子要素１の縦方向中間幅方向辺２８Ｌとの間に拡幅体である左側石膏ボード７５Ｌが介設されている。左側石膏ボード７５Ｒは、右側タップネジ７６Ｒにより拡幅辺２３Ｒに固定されている。
【００８５】
左側石膏ボード７５Ｌは、左側タップネジ７６Ｌにより拡幅辺２３Ｌに固定されて縦方向格子要素１と横方向格子要素２は、小ネジ７７により結合されている。間仕切り用化粧板７８と断熱材・防音材などの仕切ボード７９が、タップネジ８１により、縦方向格子要素１の第２外側縦方向直交辺２２の面に接合されている。
【００８６】
図１３は、縦方向格子要素１の更に他の実施の形態を示している。折り返される前の即ち図５に示す原形の縦方向格子要素１が２体用いられている。２体の縦方向格子要素１は、間仕切方向Ｚに向く線を含む鉛直面に対して対称になるように腹合わせに接合されている。
【００８７】
即ち、一方の縦方向格子要素１の拡幅辺２３Ｒと他方の縦方向格子要素１の拡幅辺２３Ｒが接着されている。両側の２体の２３Ｒ及び２３Ｌは、小ネジ８３で一体化されている。間仕切り用化粧板７８と断熱材・防音材などの仕切ボード７９が、タップネジ８１により、縦方向格子要素１の第２外側縦方向直交辺２２の面に接合されている。
【００８８】
（扉取付構造の実施形態）
図１４は、間仕切りされた隣どうしの部屋間で往復できるようにヒンジ式に開閉する扉１１４を取り付けるための手段を示している。扉１１４を取り付けるために他に用意した構造部材である扉取付用縦方向柱９２が、単体として図１５に示されている。
【００８９】
第４対称基準線又は縦方向切断線１０９で切断されたものが、拡幅のために使用されている。縦方向格子要素１と横方向格子要素２の結合構造は、図１２に示した結合構造とほぼ同様である。図１２の縦方向格子要素１の左側半分が削除されたならば、図１４の結合構造に一致する。
【００９０】
縦方向格子要素１の第１外側縦方向直交辺２１及び第２外側縦方向直交辺２２には、折返部９１を備えている。縦方向に延びる扉取付用縦方向柱９２又は扉枠９２が、折返部９１に弾性的に噛み込み嵌まりこんでいる。扉取付用縦方向柱９２は、拡幅辺９３と扉１１４を受け入れる受部辺９４とから構成されている。受部辺９４と拡幅辺９３は、横方向Ｘに向く接続辺９５により接続されている。受部辺９４には、横方向Ｘに向く間隔辺９６が接続している。
【００９１】
間隔辺９６には、間仕切幅方向Ｚに向き第１外側縦方向直交辺２１の折返部９１に結合する結合辺９７が縦方向格子要素１側で接続している。結合辺９７の前端には、弾性的に折返部９１に係合する係合片９８が設けられている。両側の拡幅辺９３間に拡幅体である拡幅ボード９９が、挟まれて固定されている。
【００９２】
ヒンジ部材１１１が、タップボルト１１２により扉取付用縦方向柱９２の受部辺９４に取りつけられている。ヒンジ部材１１１の端部は、軸穴１１３ができるように閉じられている。扉１１４のコーナー部に、鉛直方向即ち縦方向Ｙに向く回転軸１１５が取りつけられている。回転軸１１５は、軸穴１１３に回転自在に挿入されている。
【００９３】
図１６は、図１４に示した扉取付構造の変形例を示している。図１６に示す取付構造が図１４の取付構造と異なる点は、図１５に示す扉取付用縦方向柱９２が切断されず拡幅されないで原形のまま使用されていることである。ヒンジ部材１１１及び扉１１４を扉取付用縦方向柱９２に対して取付ける取付構造は、図１４に示すそれと全く同じである。扉取付用縦方向柱９２の幅は、縦方向格子要素１の幅より大きく設計されている。
【００９４】
（収納庫用横開き扉の取付構造の実施形態）
図１７は、格子体により形成される本棚等の収納庫の前面に設けられ横開き式に開閉する横開き扉１２１又は引戸１２１の取付構造の実施形態を示している。紙面に垂直な方向が横方向Ｘである。図１７は、既述した格子体構造により、横方向格子要素２が既に縦方向格子要素１（図示せず）に取りつけられて組み立てられている。
【００９５】
図１７で右側の部屋には、間仕切り用化粧板７８及び仕切りボード７９（図１３参照）が備えられている。棚面を上面として形成する棚用石膏ボード７１が横方向格子要素２に載置されている。仕切りボード７９は、第２外側横方向直交辺３２にタップネジで固定され取りつけられている。
【００９６】
第１外側横方向直交辺３１の鉛直面に引戸受用部材である引戸受１２２が接合し、引戸受１２２はネジ１２３により横方向格子要素２の第１外側横方向直交辺３１に固定され取りつけられている。引戸受１２２は、図１８に示すように、横方向に長く延びる長尺材であり、現場で必要長さに切断されて用いられる。
【００９７】
引戸受１２２には、上下面にそれぞれに２条の摺動用溝１２４が形成され、軽量化のためその中心部には中空１２５が形成されている。このように形成された２体の引戸受１２２が、図１７に示すように、上下段の横方向格子要素２に取りつけられている。２条の摺動溝１２４は、前後方向即ち間仕切幅方向Ｚに並んでいる。
【００９８】
図１９に拡大して示すように、１組の摺動溝１２４に２枚１組の引戸１２６が摺動自在に嵌め込まれている。引戸１２６の下部及び上部がそれぞれに上下段の引戸受１２２に嵌め込まれて支持されている。上段の横方向格子要素２と下段の横方向格子要素２と仕切りボード７９と引戸１２６とにより収納庫１２７である閉じた立体空間が構造化され形成されている。
【００９９】
図２０は、図４に示す天井基３又は床基４が第３切溝９で切断されたものと同形のものが原形として用意される場合があることを示す。図１９に示す天井基１３１又は床基１３２は、第３対称基準線１０３に平行な仮想の第３対称基準線１４３に対して対称な２体が幅方向に並べられて用いられる。このような部材を用意すれば、現場での切断作業が省略される。
【０１００】
図２１は、図５又は図６に示す縦方向格子要素１又は横方向格子要素２が第１切溝１９又は第２切溝３９で切断されたものと同形のものが原形として用意される場合があることを示す。図２１に示す縦方向格子要素１４１又は横方向格子要素１４２は、第１対称基準線１０１に平行な仮想の第３対称基準線１５３に対して対称な２体が幅方向に並べられて用いられる。このような部材を用意すれば、現場での切断作業が省略される。
【０１０１】
従来の間仕切壁よりも広い本発明による間仕切りは、構造体として強固であり地震に強い。床と天井の間にきつく挟まれている構造体である家具は、倒れることがないので安全である。必要に応じて間仕切りすることができる。開閉扉の併設も容易である。家具間に塵が溜まる隙間がないから、掃除の必要がなく結果的に清潔である。間仕切り費用のみを投入すれば、家具を買う費用は不要である。備えつけ家具を低廉に獲得できる。このような間仕切り工法を施工すれば、格安の住宅が完成する。
【０１０２】
（具体的実施例）
課題を解決するための手段は、本発明による素材であり、この素材はフリーサイズである。即ち、押出成形等により長尺材が量産されている。各住宅に合わせて寸法切りが行われる。幅方向にも自由な設計に対応できる。
イ．床基４と天井基３は、切溝９で切り離した長尺を用意して兼用する。
ロ．縦板１と横板（棚板）２は、初めから切離溝で切り離した長尺材を用いて兼用できる。
ハ．扉枠も切藤溝で切り離した長尺材を用意する。
この三種類の長尺材を間仕切りの格子素材として室内の大きさ、希望する棚の奥行に合わせて切断，採寸し、希望する任意の幅になるようにする。定尺一枚千円程度とし、一般販売されている石膏ボードを利用する。引戸受も長尺材として用意しておく。
【０１０３】
日本の住宅特に集合住宅又はオフィスビルは、天井高が２．２４ｍと２．４５ｍのものが大勢を占めており、これらを目標に側板の高さと間仕切り幅を企画化し、取付け穴を(側板、基材、ドア枠、壁板など)各部材に開けておき、これにパテと糊付壁クロスとドアとをセットにして販売すれば、素人でも取扱説明書を読みながら組立て家具の感覚で、室内の間仕切りができかつ取外しができる。細かい規格寸法とすることが困難なときは、部屋の寸法に合わせるため鋸などで切断して寸法合わせをする必要がある。
【０１０４】
壁クロスの貼付け工事は専門業者に依頼すると、壁クロス材およびパテでの修正で１ｍ平方当たり千二百円程度の材料込みの工事依頼をすることができるから、完成具合を気にするならば、専門業者に依頼するとよい。
【０１０５】
棚板、基材、ドア枠、壁板などの各部材の製作は、亜鉛メッキ鉄板にカラー塗装した素材を切断・曲げ加工すると極めて安価で能率よく製作できる。また、壁材として、両面または片面化粧してある石費ボードなど利用すると後仕上げの塗装工事や壁クロス工事を大幅に省略することができる。
【０１０６】
前記の実施例をすべて金属製にしたいとき、棚幅調整材を側板、棚板と同じ材料を曲加工して利用でき、細かい曲げの組合せで薄い鉄板でも丈夫な部材とすることができる。棚幅材は、側板、棚板のそれぞれの増幅辺に挿入して棚幅を拡幅調整し、その両端に取付辺を設け、拡大幅が大きいときは中腹に補強材を点溶接で取付ける。
【０１０７】
また、強さを必要としないときは単純にコの字に曲げた棚幅材をビスで取付けてよい。この方法だと極めて簡単なので、そのつど業者に発注することもでる。したがって、棚幅材は、棚幅調整材として１７０ｍｍ，２２０，３００ｍｍ，４００ｍｍ，５００ｍｍ用など長尺を用意いてもよい。
【０１０８】
また、壁材は、１から５ｃｍの断熱および遮音材に両面にカラー塗装した薄金属板を貼付けた間仕切り材があり、これを利用すると事務所などに向く金属感覚の間仕切りとすることができる。
【０１０９】
側板の長尺材を用いて間出切り兼多目的の棚を製作するとき、増幅辺の上下に石膏ボートを貼付け、その表面に壁クロスを貼付けて目的の棚幅にすることができる。この石膏ポードに表面に塗装または壁クロスなど施されているものを利用して手間と費用を軽減できる。
【０１１０】
以上、素人でも取扱説明書を読みながら組立てられることを強調してきたが、この素材をステンレスを含めた鉄系で素材を製作すると、曲げか所が多く丈夫なため、一般住宅の外壁を固定する縦桟や横桟として利用でき、専門の建築屋さんの手をかりてすべての壁を多目的の柵にすると、六畳の一間で窓、ドアの部分は省いたとしても、奥行きは別にしてコクヨの書棚ホームシェルフの８０ｃｍ＊１５１ｃｍの間口の棚で計算すると、およそ２０個にも相当する棚となり、驚くべき収納庫となる。
【０１１１】
わが国で最も平凡な２ＬＤＫだと、少なくとも六畳の六倍面積あり、これを全部この発明の棚壁にすると計算上、１００個を越す棚となる。この２ＬＤＫに棚１００個も持込むと、足の踏み場もないい困ったことになるが、この発明で提供する棚を必要に応じ棚板を増やしたり、あるいは取り払って洋服ダンスにし、これに、棚蓋付けてクロゼットふうにし、仕上げを壁クロスを樹粘りすると、家具のない広々とした空間のある住まいが完成し単庫本だと5万冊にも及ぶ収納庫付き家となる。しかも地震で家具の倒壊してその下敷きになる危険性がない。
【０１１２】
このとき、廊下、居間、食堂、風呂など両サイド棚扉にしたり、両サイドをガラス引戸にして明窓、飾り柵など多彩に変化を付けられるのは言うまでもない。
【０１１３】
【発明の効果】
本本発明は、室内の間仕切りそのものが各種の家具であるから、壁の他に更に家具が空間を占拠しない。空間利用率が高い。
【図面の簡単な説明】
【図１】図１は、本発明の収納庫兼用間仕切りの実施の形態を示す斜軸投影図である。
【図２】図２は、図１の一部を詳細に示す正面図である。
【図３】図３（ａ），（ｂ）は、拡幅幅が異なる実施の形態を示しそれぞれに図２の側面断面図である。
【図４】図４は、天井基又は床基の実施の形態を示す斜軸投影図である。
【図５】図５は、縦方向格子要素の実施の形態を示す斜軸投影図である。
【図６】図６は、横方向格子要素の実施の形態を示す斜軸投影図である。
【図７】図７は、横方向格子要素の実施の他の形態を示す斜軸投影図である。
【図８】図８は、天井基又は床基の他の実施の形態を示す斜軸投影図である。
【図９】図９は、縦方向格子要素又は横方向格子要素の他の実施の形態を示す斜軸投影図である。
【図１０】図１０は、格子体構造の実施の形態を示す正面図である。
【図１１】図１１は、縦横格子要素の組立構造の実施の形態を示す斜軸投影図である。
【図１２】図１２は、縦横格子要素の組立構造の実施の形態を示す平面図である。
【図１３】図１３は、縦横格子要素の組立構造の実施の他の形態を示す平面図である。
【図１４】図１４は、扉の実施の形態を示す平面図である。
【図１５】図１５は、扉枠の実施の形態を示す斜軸投影図である。
【図１６】図１６は、扉の実施の形態を示す平面図である。
【図１７】図１７は、引戸の実施の形態を示す側面断面図である。
【図１８】図１８は、引戸受の実施の形態を示す斜軸投影図である。
【図１９】図１９は、引戸受の実施の形態を示す斜軸投影図である。
【図２０】図２０は、天井基又は床基の実施の他の形態を示す斜軸投影図である。
【図２１】図２１は、縦横格子要素扉の実施の他の形態を示す斜軸投影図である。
【符号の説明】
１…縦方向格子要素
２…横方向格子要素
３…天井基
９…第３切溝
１１…第１外側横方向天井直交辺
１２…第２外側横方向天井直交辺
１３…天井辺
１９…第１切溝
２１…第１外側縦方向直交辺
２２…第２外側縦方向直交辺
２３…縦方向中間曲折辺
２７Ｒ，２７Ｌ…拡幅辺
２８Ｒ…縦方向中間直交辺
３１…第１外側横方向直交辺
３１Ｒ…縦方向中間幅方向辺
３１Ｒ，３１Ｌ…縦方向中間幅方向辺
３２…第２外側横方向直交辺
３７Ｒ，３７Ｌ…拡幅辺
３３…横方向中間曲折辺
３３Ｒ，３３Ｌ…拡幅辺
３８Ｌ…横方向中間直交辺
３９…第２切溝
４１Ｒ，４１Ｌ…横方向中間幅方向辺
９２…扉取付用縦方向柱又は扉枠
１０１…第１対称基準線
１０２…第２対称基準線
１０３…第３対称基準線
１０９…第４対称基準線
１２２…引戸受
１２６…引戸
Ｘ…横方向
Ｙ…縦方向
Ｚ…間仕切幅方向
【図１】
0003722556.tif 000002
【図２】
0003722556.tif 000003
【図３】
0003722556.tif 000004
【図４】
0003722556.tif 000005
【図５】
0003722556.tif 000006
【図６】
0003722556.tif 000007
【図７】
0003722556.tif 000008
【図８】
0003722556.tif 000009
【図９】
0003722556.tif 000010
【図１０】
0003722556.tif 000011
【図１１】
0003722556.tif 000012
【図１２】
0003722556.tif 000013
【図１３】
0003722556.tif 000014
【図１４】
0003722556.tif 000015
【図１５】
0003722556.tif 000016
【図１６】
0003722556.tif 000017
【図１７】
0003722556.tif 000018
【図１８】
0003722556.tif 000019
【図１９】
0003722556.tif 000020
【図２０】
0003722556.tif 000021
【図２１】
0003722556.tif 000022